(57)【要約】【課題】  車室内の凹凸のある場所であっても画像を含む光照射パターンを鮮明に投影できるようにした車載用投影装置を提供する。【解決手段】  車載用投影装置１０には可視波長のコヒーレント光を発する光源とコリメートレンズとホログラム光学素子とが設けられている。コヒーレント光はコリメートレンズでコリメート光とされ、ホログラム光学素子で光の回折が生じ、車室１の内部のステアリングホイール４に光照射パターン１２ａが投影される。ホログラム光学素子で変換された投影光１１ａは焦点深度がほぼ無限大であり、ステアリングホイール４とその下の領域に光照射パターン１２ａを鮮明に投影できる。【選択図】図１
2015125377.tif 000002
【特許請求の範囲】
【請求項１】
車室内に情報を投影する車載用投影装置において、
可視波長のコヒーレント光を発生する光源と、前記コヒーレント光をコリメート光に変換するコリメートレンズと、前記コリメート光に回折を生じさせて所定の画像を含む光照射パターンを車室内に投影するホログラム光学素子と、が設けられていることを特徴とする車載用投影装置。
【請求項２】
前記ホログラム光学素子は、前記光照射パターンを結像できる焦点深度が、前記車室内における前記光照射パターンの投影方向の空間距離よりも長く設定されている請求項１記載の車載用投影装置。
【請求項３】
前記ホログラム光学素子は、内部に固定された回折格子を有して、固定画像の光照射パターンを投影するものである請求項１または２記載の車載用投影装置。
【請求項４】
複数の前記光源と、それぞれの前記光源に対応する前記コリメートレンズならびに前記ホログラム光学素子が個別に設けられており、
それぞれの前記ホログラム光学素子は、異なる固定画像の光照射パターンを投影するものであり、
異なる光照射パターンの投影光を同一の投影方向へ送る反射部材と、複数の前記光源を選択的に点灯する投影制御部と、が設けられている請求項３記載の車載用投影装置。
【請求項５】
複数の前記光源は、異なる波長のコヒーレント光を発生するものであり、前記反射部材は、コヒーレント光の透過と反射を、波長に応じて選択するものである請求項４記載の車載用投影装置。
【請求項６】
複数の前記光源から発せられるコヒーレント光の偏光方向が相違しており、前記反射部材は、コヒーレント光の透過と反射を、偏光方向に応じて選択するものである請求項４記載の車載用投影装置。
【請求項７】
前記ホログラム光学素子は、光照射パターンの画像内容を変更できる可変光学素子である請求項１または２記載の車載用投影装置。
【請求項８】
前記ホログラム光学素子で投影される光照射パターンの照射方向を変化させる投影方向調整装置が設けられている請求項１ないし７のいずれかに記載の車載用投影装置。
【請求項９】
車室内に搭乗者が乗車しているときに、所定の場所に電子機器の設置を促す画像の光照射パターンを投影し、搭乗者が下車するときに前記光照射パターンの画像を切替えて、電子機器の置き忘れを警告する請求項１ないし８のいずれかに記載の車載用投影装置。
【請求項１０】
搭乗者が乗車したか下車したかを、イグニッションスイッチまたはアクセサリースイッチのＯＮ−ＯＦＦで判別する請求項９記載の車載用投影装置。
【請求項１１】
搭乗者が乗車したか下車したかを、車室内のセンサーの検知で判別する請求項９記載の車載用投影装置。
【請求項１２】
前記電子機器は、携帯用情報端末である請求項９ないし１１のいずれかに記載の車載用投影装置。
【発明の詳細な説明】
【技術分野】
【０００１】
本発明は、車両の車室内に画像を含む光照射パターンを投影する車載用投影装置に関する。
【背景技術】
【０００２】
特許文献１に、照射装置を使用した車内情報表示装置に関する発明が開示されている。
【０００３】
照射装置は、集光された可視光をスポットもしくは所定のエリアとして車室内の各所に照射可能となっている。
【０００４】
照射装置は、ビーム照射装置から発せられた可視光ビームが光ファイバで誘導されて、車室内の複数箇所に可視光ビームが照射される。可視光ビームの照射場所を移動させることで、ユーザが注視すべき場所を誘導し、また可視光ビームを車内のスイッチ類などに照射することで、ユーザが操作すべき場所を指示できるようになっている。
【０００５】
また、可視光ビームでダッシュボード上に、文字、記号、絵柄などを表示して情報表示を行うことも可能となっている。
【０００６】
可視光ビームを車室内の複数箇所へ照射させ、また可視光ビームで文字、記号、絵柄などを表示するための構造として、ガルバノミラーとＤＬＰ（登録商標）方式のデジタルプロジェクタを組み合わせたシステムが使用されている。前記デジタルプロジェクタは、デジタルミラーデバイスを使用して、画像などを投影するものである。
【先行技術文献】
【特許文献】
【０００７】
【特許文献１】特開２００８−１９５３７５号公報
【発明の概要】
【発明が解決しようとする課題】
【０００８】
特許文献１に記載された車内情報表示装置は、ガルバノミラーとデジタルミラーデバイスを使用して、可視光ビームの反射方向を移動させることで、スポットの照射位置を移動させ、さらには、可視光ビームの反射方向を移動させて文字、記号、絵柄を描いて表示する構造である。しかし、この装置では、文字、記号、絵柄がデジタルミラーデバイスの各画素のＯＮ／ＯＦＦで描かれるため、絵柄の解像度がデジタルミラーデバイスの動作精度に応じて制限されてしまう。また、投影レンズとの組み合わせで構成されるため、投影画像を結像させるための焦点距離が一定の範囲で決められてしまう。
【０００９】
さらに、文字、記号、絵柄を凹凸のある場所に投影しようとすると、可視光照射装置の焦点から離れれば離れるほど、表示線などがぼやける状態となり、凹凸部に鮮明な情報を表示することが難しい。
【００１０】
本発明は、上記従来の課題を解決するものであり、車室内に画像を含む照射パターンを鮮明に投影でき、凹凸部にも情報を鮮明に表示することができる車載用投影装置を提供することを目的としている。
【課題を解決するための手段】
【００１１】
本発明は、車室内に情報を投影する車載用投影装置において、
可視波長のコヒーレント光を発生する光源と、前記コヒーレント光をコリメート光に変換するコリメートレンズと、前記コリメート光に干渉を生じさせて所定の画像を含む光照射パターンを車室内に投影するホログラム光学素子と、が設けられていることを特徴とするものである。
【００１２】
本発明の車載用投影装置は、ホログラム光学素子で光照射パターンを投影しているので、文字、数字、図形、記号の少なくともいずれかを含む鮮明な画像を車室内に投影することができる。
【００１３】
本発明は、前記ホログラム光学素子は、前記光照射パターンを結像できる焦点深度が、前記車室内における前記光照射パターンの投影方向の空間距離よりも長く設定されているものとして構成できる。
【００１４】
ホログラム光学素子を使用すると、照射方向において光照射パターンを結像できる距離を長くでき、大きな凹凸がある場所や前後に段差がある場所であっても、画像を鮮明に結像させることが可能になる。すなわち、ホログラム光学素子を使用することで、焦点深度を実質的に無限大にすることが可能である。
【００１５】
本発明では、前記ホログラム光学素子は、内部に固定された回折格子を有して、固定画像の光照射パターンを投影するものとして構成できる。
【００１６】
この場合は、複数の前記光源と、それぞれの前記光源に対応する前記コリメートレンズならびに前記ホログラム光学素子が個別に設けられており、それぞれの前記ホログラム光学素子は、異なる固定画像の光照射パターンを投影するものであり、異なる光照射パターンの投影光を同一の投影方向へ送る反射部材と、複数の前記光源を選択的に点灯する投影制御部と、が設けられているものとして構成されることが好ましい。
【００１７】
この車載用投影装置では、車室内の同じ箇所に異なる画像の光照射パターンを選択して投影することが可能である。
【００１８】
例えば、複数の前記光源は、異なる波長のコヒーレント光を発生するものであり、前記反射部材は、コヒーレント光の透過と反射を、波長に応じて選択するものである。
【００１９】
または、複数の前記光源から発せられるコヒーレント光の偏光方向が相違しており、前記反射部材は、コヒーレント光の透過と反射を、偏光方向に応じて選択するものである。
【００２０】
本発明の車載用投影装置は、前記ホログラム光学素子が、光照射パターンの画像内容を変更できる可変光学素子であってもよい。
【００２１】
さらに本発明の車載用投影装置は、前記ホログラム光学素子で投影される光照射パターンの照射方向を変化させる投影方向調整装置が設けられているものであってもよい。
【００２２】
投影方向調整装置を設けることで、光照射パターンの投影場所を車室内の任意の場所へ移動させることができ、または複数箇所に光照射パターンを選択して投影することができる。
【００２３】
本発明は、車室内に搭乗者が乗車しているときに、所定の場所に電子機器の設置を促す画像の光照射パターンを投影し、搭乗者が下車するときに前記光照射パターンの画像を切替えて、電子機器の置き忘れを警告するものとして構成できる。
【００２４】
例えば、搭乗者が乗車したか下車したかを、イグニッションスイッチまたはアクセサリースイッチのＯＮ−ＯＦＦで判別する。あるいは、搭乗者が乗車したか下車したかを、車室内のセンサーの検知で判別する。前記電子機器は、例えば携帯用情報端末である。
【発明の効果】
【００２５】
本発明の車載用投影装置は、ホログラム光学素子を使用して、コヒーレントなコリメート光を回折させて光照射パターンを生成して投影しているため、投影光路上で光照射パターンが結像できる範囲（焦点深度）を実質的に無限大にでき、この範囲を、自動車の車室内での投影光路上よりも長くできる。そのため、画像を鮮明に投影でき、例えば太い線で描いた文字、数字、図形、記号の少なくとも１つを含む画像を投影でき、鮮明な情報表示を行うことができる。
【００２６】
また、車室内の大きな凹凸がある場所や、奥行きの段差が大きい場所などにも鮮明な画像を投影することが可能である。
【図面の簡単な説明】
【００２７】
【図１】本発明の車載用投影装置で車室内のステアリングホイールに光照射パターンが投影されている状態を示す説明図、
【図２】ステアリングホイールへ光照射パターンが投影されている動作状態を示す説明図、
【図３】ステアリングホイールへ光照射パターンが投影されている動作状態を示す説明図、
【図４】ステアリングホイールへ光照射パターンが投影されている動作状態を示す説明図、
【図５】（Ａ）（Ｂ）（Ｃ）は、投影光を選択する反射部材の他の実施の形態を示す説明図、
【図６】車室内のセンターコンソールボックスに光照射パターンが投影されている状態を示す説明図、
【図７】（Ａ）（Ｂ）はコンソールボックスへの光照射パターンの投影例を示す説明図、
【図８】投影部の構成の一例を示す説明図、
【図９】投影部の構成の他の例を示す説明図、
【図１０】本発明の車載用投影装置の構成例を示すブロック図、
【発明を実施するための形態】
【００２８】
図１に自動車の車室１の内部構造が示されている。図１に示す車室１は、ウインドシールド２よりも下方領域にインストルメントパネル３が設けられ、このインストルメントパネル３にディスプレイ３ａが設けられている。運転席には、インストルメントパネル３よりも手前側にステアリングホイール４が配置されている。
【００２９】
運転席と助手席との中間の前方にダッシュボード５が配置され、ここに車載用電子機器６が装備されている。車載用電子機器６はオーディオ装置、ナビゲーション装置、その他の通信機器などである。ダッシュボード５の手前にはセンターコンソールボックス７が配置されており、その前方にシフトレバー８が設けられている。センターコンソールボックス７の上で、シフトレバー８の手前には、電子機器設置領域として携帯機器設置領域９が設けられている。
【００３０】
図１に示すように、車室１ではウインドシールド２の上に車載用投影装置１０が設置されている。
【００３１】
車載用投影装置１０には、投影部２０が設けられている。図１に示す例では、投影部２０からスエアリングホイール４に向けて投影光１１ａが与えられ、ステアリングホイール４ならびに、その下側に位置する運転者の脚や座席の一部あるいは床面などにかけて、光照射パターン１２ａが投影されて表示されている。
【００３２】
図２、図３、図４に、ステアリングホイール４に向けて光照射パターン１２ａを投影するための投影部２０の構造が示されている。
【００３３】
投影部２０には、第１の光照射部２１ａと第２の光照射部２１ｂならびに第３の光照射部２１ｃが設けられている。図８に第１の光照射部２１ａの構造の詳細が示されている。第１の光照射部２１ａは、ケース２２の内部に第１の光源２３ａとコリメートレンズ２４とが収納されている。第１の光源２３ａは可視波長のコヒーレント光を発するレーザ発光素子であり、緑色の可視波長の可視光レーザが発せられる。この可視光レーザはコリメートレンズ２４によってコリメート光２５ａに変換される。
【００３４】
図２、図３、図４に示す第２の光照光部２１ｂにも、第２の光源２３ｂとコリメートレンズ２４（いずれも図示されていない）が設けられている。第２の光源２３ｂは可視波長のコヒーレント光を発するレーザ発光素子であり、赤色の可視波長の可視光レーザが発せられる。第３の光照光部２１ｃには、第２の光源２３ｃとコリメートレンズ２４（いずれも図示されていない）が設けられている。第３の光源２３ｃは可視波長のコヒーレント光を発するレーザ発光素子であり、青色の可視波長の可視光レーザが発せられる。
【００３５】
第１の光照射部２１ａの前方に第１のホログラム光学素子２６ａが配置されている。第１のホログラム光学素子２６ａは、内部に固定された回折格子を有しており、固定画像の第１の光照射パターン１２ａを投影するためのホログラム光である投影光１１ａが生成される。図８に示すように、第１のホログラム光学素子２６ａを透過した投影光１１ａはそのビーム面積が前方に向かうにしたがって徐々に大きくなるような発散光となる。
【００３６】
コヒーレントなコリメート光２５ａが第１のホログラム光学素子２６ａを透過すると、素子内部に固定されて形成された回折格子により光の回折が発生し、投影光１１ａが照射された物体に、図１と図２に示すような第１の光照射パターン１２ａが透視されて表示される。第１の光照射パターン１２ａは緑色の可視光レーザで表示されているものであり、「Ｒｅｌａｘ」の文字と「！」の記号とが組み合わされた画像として表示される。
【００３７】
第１のホログラム光学素子２６ａで生成される投影光１１ａが車室１内のどの物体に当たっても、当たった場所に鮮明な画像を投影できるように、投影方向において光照射パターン１２ａを結像できる範囲（深さ）が、車室１において投影光１１ａが投影される方向での室内空間の奥行距離の最大値よりも、さらに長くなるように設定されている。すなわち、第１のホログラム光学素子２６ａで光照射パターン１２ａを結像できる焦点深度が、車室１において投影光１１ａが投影される方向での室内空間の全長よりも長く設定されており、好ましくは焦点深度が無限大となるように設定されている。
【００３８】
「Ｒｅｌａｘ」の文字と，「！」の記号とが組み合わされた画像を、ほぼ無限大の焦点深度で投影するための第１のホログラム光学素子２６ａは、コンピュータ生成のホログラフィー技術（Computer-generated holography）によって、素子内部に回折格子構造を記録させることで生成することができる。
【００３９】
図２、図３、図４に示すように、第２の光照射部２１ｂの前方に第２のホログラム光学素子２６ｂが配置されている。第２の光照射部２１ｂに設けられた第２の光源２３ｂから発せられたコヒーレントな赤色のレーザ光は、第２のホログラム光学素子２６ｂを透過して第２の投影光１１ｂとなる。第２のホログラム光学素子２６ｂは第１のホログラム光学素子２６ａと構造と機能が同じであり、第２のホログラム光学素子２６ｂを透過した第２の投影光１１ｂは発散光となり、第２の光照射パターン１２ｂを結像できる焦点深度がほぼ無限大になる。
【００４０】
ただし、図３に示すように、第２の投影光１１ｂが車室１内の物体に照射されたときに表示される第２の光照射パターン１２ｂは、「Caution」の文字と、「！」の記号とが組み合わされた画像であり、第２の光照射パターン１２ｂは赤色のレーザ光によって表示される。
【００４１】
図２、図３、図４に示すように、第３の光照射部２１ｃの前方に第３のホログラム光学素子２６ｃが配置されている。第３の光照射部２１ｃに設けられた第３の光源２３ｃから発せられたコヒーレントな青色のレーザ光は、第３のホログラム光学素子２６ｃを透過して発散光である第３の投影光１１ｃとなる。第３の投影光１１ｃでは、図４に示すように、車室１内の物体に照射されたときに表示される第３の光照射パターン１２ｃは、車両のドアが完全に閉じられていないことを警告するための図形となっている。この第３の光照射パターン１２ｃは青色で表示される。第３の光照射パターン１２ｃを結像するための焦点深度もほぼ無限大である。
【００４２】
図２、図３、図４に示すように、投影部２０には、第１の投影光１１ａ、第２の投影光１１ｂ、第３の投影光１１ｃのいずれか１つの投影光を選択するためのダイクロイックミラー（ダイクロイックプリズム）２７が設けられている。ダイクロイックミラー２７は、互いに交差する第１の鏡面２７ａと第２の鏡面２７ｂを含んでいる。第１の鏡面２７ａと第２の鏡面２７ｂは、光の波長に応じて透過と反射のいずれかの機能を発揮する。図２に示すように、第１の鏡面２７ａと第２の鏡面２７ｂは、緑色の波長の光を透過する。図３に示すように、赤色の波長の光は第１の鏡面２７ａで反射され、図４に示すように、青色の波長の光は第２の鏡面２７ｂで反射される。
【００４３】
図１に示す車載用投影装置１０には、前記投影部２０と共に投影制御部３１（図１０参照）が設けられている。投影制御部３１には、自動車の設定情報や走行情報さらには運転者から得られる身体的な情報が伝えられ、状況に応じてどの光照射パターンを選択するかの制御が行われる。
【００４４】
投影制御部３１において、運転者の身体的な情報から運転者が緊張状態であると判断されると、図２に示すように、第１の光照射部２１ａが選択されて、これに含まれる第１の光源２３ａが点灯させられる。その結果、ステアリングホイール４に「Relax」の文字を含む緑色の第１の光照射パターン１２ａが投影される。
【００４５】
投影制御部３１において、車両の走行速度が大きすぎる場合や、前方を走行する車両との距離が短すぎるなどの判定がなされると、図３に示すように、第２の光照射部２１ｂが選択されて、これに含まれる第２の光源２３ｂが点灯させられる。その結果、ステアリングホイール４に「Caution」の文字を含む赤色の第２の光照射パターン１２ｂが投影されて、運転者に注意が促される。また、運転者へさらに強く注意を促したいときは、第２の光源２３ｂが点滅制御され、第２の光照射パターン１２ｂが点滅表示される。
【００４６】
投影制御部３１において、車両のドアが完全に閉じられていないと判定されたときには、図４に示すように、第３の光照射部２１ｃが選択されて、これに含まれる第３の光源２３ｃが点灯させられる。その結果、ステアリングホイール４に、ドアが閉じられていない状態であることを警告する図形を含む第３の光照射パターン１２ｃが青色で表示される。
【００４７】
光照射パターン１２ａ，１２ｂ，１２ｃは、ホログラム光学素子２６ａ，２６ｂ，２６ｃによる光の回折によって生成されるものであるため、ビームをガルバノミラーで反射させてデジタルマイクロミラーのＯＮ／ＯＦＦにより画像を描く従来の投影装置に比較して、光の
ロスが少なく明るい画像を表示することができる。
【００４８】
さらに、ホログラム光学素子２６ａ，２６ｂ，２６ｃで生成される投影光１１ａ，１１ｂ，１１ｃは、光照射パターン１２ａ，１２ｂ，１２ｃを結像させるための焦点深度がほぼ無限大であるため、図１に示すように、表面が凹凸形状のステアリングホイール４の表面に光照射パターン１２ａ，１２ｂ，１２ｃの画像を鮮明に投影でき、ステアリングホイール４から外れた位置に投影される投影光１１ａによって、ステアリングホイール４の下側に位置する運転者の脚や、運転席のシート、あるいは床面などに光照射パターンの一部を鮮明に投影させて表示することが可能である。
【００４９】
前記実施の形態では表示光１１ａ，１１ｂ，１１ｃを選択する反射部材としてダイクロイックミラー２７が使用されているが、図５に示す実施の形態では、反射部材として偏波ビームコンバイナ２８が使用されている。偏波ビームコンバイナ２８は、入力した光の偏光方向に応じて反射と透過の選択が行われる。
【００５０】
図５（Ａ）に示されている偏波ビームコンバイナ２８は、反射面２８ａを有している。第１の光照射部２１ａの第１の光源２３ａから発せられる可視光レーザの偏光方向と、第２の光照射部２１ｂの第２の光源２３ｂから発せられる可視光レーザの偏光方向とが相違している。反射面２８ａは、第１の光源２３ａからの可視光レーザの偏光を透過させ、第２の光源２３ｂからの可視光レーザの偏光を反射できるように構成されている。
【００５１】
投影制御装置３１の制御により、第１の光照射部２１ａの第１の光源２３ａが点灯させられると、第１のホログラム光学素子２６ａを透過した投影光１１ａが反射面２８ａを透過して車室１の内部に投影される。第２の光照射部２１ｂの第２の光源２３ｂが点灯させられると、第２のホログラム光学素子２６ｂを透過した投影光１１ｂが反射面２８ａで反射されて車室１の内部に投影される。
【００５２】
図５（Ｂ）に示されている偏波ビームコンバイナ２８は、反射面２８ｂを有している。反射面２８ｂは、第１の光源２３ａからの可視光レーザの偏光を透過させ、第３の光照射部２１ｃに設けられた第３の光源２３ｃからの可視光レーザの偏光を反射できるように構成されている。投影制御装置３１の制御により、第１の光源２３ａが点灯させられると、第１のホログラム光学素子２６ａを透過した投影光１１ａが反射面２８ｂを透過して車室１の内部に投影され、第３の光源２３ｃが点灯させられると、第３のホログラム光学素子２６ｃを透過した投影光１１ｂが反射面２８ｂで反射されて車室１の内部に投影される。
【００５３】
図５（Ｃ）に示されている偏波ビームコンバイナ２８は、反射面２８ａと反射面２８ｂを有している。投影制御装置３１の制御により、第１の光源２３ａが点灯させられると、第１のホログラム光学素子２６ａを透過した投影光１１ａが反射面２８ａと反射面２８ｂを透過して車室１の内部に投影される。第２の光源２３ｂが点灯されると、第２のホログラム光学素子２６ｂを透過した投影光１１ｂが反射面２８ａで反射されて車室１の内部に投影され、第３の光源２３ｃが点灯させられると、第３のホログラム光学素子２６ｃを透過した投影光１１ｃが反射面２８ｂで反射されて車室１の内部に投影される。
【００５４】
次に、図６に示す実施の形態では、車載用投影装置１０から投影光１３がセンターコンソールボックス７に照射され、携帯機器設置領域９に光照射パターン１４が投影されている。
【００５５】
車載投影装置１０の投影部２０には、図２または図５（Ａ）に示したのと同じ２つの光照射部２１ａ，２１ｂと２つのホログラム光学素子２６ａ，２６ｂが設けられ、またダイクロイックミラー２７あるいは偏波ビームコンバイナ２８が設けられている。ただし、第１のホログラム光学素子２６ａでは、図７（Ａ）に示す第１の光照射パターン１４ａの画像が投影され、第２のホログラム光学素子２６ｂでは、図７（Ｂ）に示す第２の光照射パターン１４ｂが投影される。図６には、第１の光照射パターン１４ａがセンターコンソールボックス７に投影されている状態が示されている。
【００５６】
図６に示す車載用投影装置１０は、図１０のブロック図に示す装置構成を有している。搭乗者（運転者）が乗車したことが投影制御部３１で認識されると、投影部２０から携帯機器設置領域９に図６ならびに図７（Ａ）に示す第１の光照射パターン１４ａが投影される。第１の光照射パターン１４ａは例えば緑色の可視光レーザによって投影される。
【００５７】
図６に示すように、第１の光照射パターン１４ａを照射することにより、搭乗者（運転者）に携帯機器３６を携帯機器設置領域９に設置するように促される。携帯機器３６は携帯用情報端末であり、例えば携帯電話である。搭乗者が乗車したか否かの認識は、図１０に示す自動車のイグニッションスイッチまたはアクセサリースイッチなどのスイッチ３５が切替えられたか否かで判定される。あるいは、車両内の複数箇所に配置されているセンサー３２のいずれかを使用して、人が乗車したか否かを検知することで判定される。
【００５８】
携帯機器設置領域９に携帯機器３６が設置されたことが前記センサー３２のいずれかで検知され、さらに携帯機器３６と車両内の送受信機との間の通信によって、ＩＤなどが確認されて通信可能な携帯機器３６であると判定されると、光照射部の光源が消灯され、図７（Ａ）に示す第１の光照射パターン１４ａが消滅する。
【００５９】
次に、搭乗者が車室１から離れようとしているときに、投影制御部３１によって、携帯機器設置領域９に携帯機器３６が置かれたままであると認識されると、投影部２０から携帯機器設置領域９に図７（Ｂ）に示す光照射パターン１４ｂが照射される。この光照射パターン１４ｂは赤色で投影される。また、赤色の光照射パターン１４ｂが点滅表示されてもよい。この投影により、搭乗者に携帯機器３６の置き忘れが警告される。
【００６０】
搭乗者が車室１内から離れようとしているか否かは、イグニッションスイッチまたはアクセサリースイッチなどのスイッチ３５が切替えられたか否かで判定される。あるいは、センサー３２のいずれかを使用して、人が下車しようとしているか否かを検知することで判定される。また、携帯機器設置領域９に携帯機器３６が置いたままであるか否かは、携帯機器３６と車両の送受信機との間の通信の有無や、いずれかのセンサー３２が携帯機器３６を検知しているかなどにより判定される。
【００６１】
なお、前記実施の形態では、ホログラム光学素子２６ａ，２６ｂ，２６ｃによって固定画像が投影されたが、ホログラム光学素子として、投影制御部３１からの制御動作により回折格子の構造を変化させて、異なる種類の画像を生成できる可変光学素子を使用し、１つのホログラム光学素子で複数種類の光照射パターンを投影できるようにしてもよい。
【００６２】
複数の画像の光照射パターンを生成するホログラム光学素子は、コンピュータ生成のホログラフィー技術（Computer-generated holography）によって、素子内部に複数種類の回折格子を成立させる液晶素子などで構成できる。
【００６３】
また、光照射部として、図９に示すように、光源２３ａから発せられ、コリメートレンズ２４で変換されたコリメート光が偏波ビームコンバイナ２８で反射されて反射型液晶を利用したホログラム光学素子２９に与えられ、ホログラム光学素子２９で反射された変換光が偏波ビームコンバイナ２８を透過して表示光として投影されるものであってもよい。
【００６４】
反射型のホログラム光学素子２９は、固定画像の光照射パターンを生成するものであってもよいし、画像を変化させるものであってもよい。
【００６５】
さらに本発明の車載用投影装置１０には、図１０に示すようにガルバノミラーなどを使用した投影方向調整装置３４が設けられて、車室１の内部で光照射パターンを投影する場所を変化させ、または移動させるようにしてもよい。
【００６６】
また図１０に示す安全装置３３が設けられることが好ましい。この安全装置３３が設けられていると、人が投影部２０を直接に覗き込もうとして、人が投影部２０にある程度接近したことが赤外線などを利用して検知されると、光源から発せられる可視光レーザの発光強度が低下させられ、人の目に悪影響を及ぼすのを防止できる。
【符号の説明】
【００６７】
１  車室
２  ウインドシールド
３  インストルメントパネル
４  ステアリングホイール
５  ダッシュボード
７  センターコンソールボックス
９  携帯機器設置領域
１０  車載用投影装置
１１ａ，１１ｂ，１１ｃ  投影光
１２ａ，１２ｂ，１２ｃ，１４ａ，１４ｂ  光照射パターン
２０  投影部
２１ａ，２１ｂ，２１ｃ  光照射部
２３ａ，２３ｂ，２３ｃ  光源
２４  コリメートレンズ
２６ａ，２６ｂ，２６ｃ  ホログラム光学素子
２７  ダイクイックミラー
２８  偏波ビームコンバイナ
３１  投影制御部
３２  センサー
３５  スイッチ
３６  携帯機器
【図１】
2015125377.tif 000003
【図２】
2015125377.tif 000004
【図３】
2015125377.tif 000005
【図４】
2015125377.tif 000006
【図５】
2015125377.tif 000007
【図６】
2015125377.tif 000008
【図７】
2015125377.tif 000009
【図８】
2015125377.tif 000010
【図９】
2015125377.tif 000011
【図１０】
2015125377.tif 000012